(57)【要約】【課題】マイナスイオン発生性能や使用性はもちろんのこと、インテリア性にも配慮した実用性の高いマイナスイオン発生装飾具の提供。【課題の解決手段】マイナスイオン発生材を収納し少なくとも側周面に開口部を有する容器と、この上部に布又はプラスチック製の造花を具備するマイナスイオン発生装飾具。容器内部の下方にファンを備え、その上方にマイナスイオン発生材を位置させるとともに容器の上面には開口部を設け、側周面の開口部からマイナスイオン発生材、上面開口部、更に造花の装着部を辿り造花の先端間隙部から気中に送風される空気流にのせて、マイナスイオンを放散せしめる構成が好ましい。【選択図】図１
2004305566.tif 000002
【特許請求の範囲】
【請求項１】
マイナスイオン発生材を収納し少なくとも側周面に開口部を有する容器と、この上部に布又はプラスチック製の造花を具備することを特徴とするマイナスイオン発生装飾具。
【請求項２】
マイナスイオン発生材が、トルマリン粉末、木炭、竹炭、レア・アース鉱石、及び玻璃長石から選ばれた１種又は２種であることを特徴とする請求項１に記載のマイナスイオン発生装飾具。
【請求項３】
容器内部の下方にファンを備え、その上方にマイナスイオン発生材を位置させるとともに容器の上面には開口部を設け、側周面の開口部からマイナスイオン発生材、上面開口部、更に造花の装着部を辿り造花の先端間隙部から気中に送風される空気流にのせて、マイナスイオンを放散せしめるようになしたことを特徴とする請求項１又は２に記載のマイナスイオン発生装飾具。
【請求項４】
マイナスイオン発生材の表面積、もしくはマイナスイオン発生材が粉末の場合はこれを収納する保持体の片面の表面積が３０〜１５０ｃｍ２で、造花の見かけの体積が２００〜１５００ｃｍ３であり、かつファンを５００〜２０００ｒｐｍの速度で、しかも送風休止期間を送風期間よりも１０倍以上長く設定して間欠的に回転させるように構成したことを特徴とする請求項１ないし３のいずれかに記載のマイナスイオン発生装飾具。
【請求項５】
容器を包装体に収容したことを特徴とする請求項１ないし４のいずれかに記載のマイナスイオン発生装飾具。
【請求項６】
包装体が、籠、鉢又はラッピング用品であることを特徴とする請求項５に記載のマイナスイオン発生装飾具。
【発明の詳細な説明】
【０００１】
【産業上の利用分野】
本発明は、造花を有する装飾具の改良に関するものである。
【０００２】
【従来の技術】
近年、居住空間の快適化のために数多くの装飾具や放香、消臭具が広く使用されており、放香もしくは消臭機能を付与した造花タイプの装飾具もいくつか提案されている。例えば、特開平７−２４０４７号公報には、内部にファンを収容し外観が鉢の形状の装置基体と外観を幹部と枝部に形どった樹木体を有し、枝部先端に設けられた吸気口から取り込む空気を濾過材を通して清浄化する装置が開示されている。また、特開平１０−２８７２３号公報には、空気中の有臭成分に対して光触媒活性を有する葉を立体的に配置した観葉植物が記載されている。しかしながら、これらの付加機能は消臭効果に限られ、また幹部や枝部にダクトパイプを設けたり、あるいは葉に光触媒活性を処理する必要があるなど、製造上不利な面が多い。
一方、最近マイナスイオンの生じる種々の効果が注目を集め、人体に対して血行や新陳代謝を促進させるだけでなく、リラックス感をもたらす等の効果も有すると言われている。そして、例えば、エアコンディショナー、空気清浄器、治療具、衣類（特開２００１−２０４６１１号公報）、使い捨てカイロ（特開２００３−７０８２２号公報）などの商品への応用も提案されているが、造花タイプの装飾具と機能的に組み合わせたものは未だない。
【０００３】
【特許文献１】
特開平７−２４０４７号公報
【特許文献２】
特開平１０−２８７２３号公報
【特許文献３】
特開２００１−２０４６１１号公報
【特許文献４】
特開２００３−７０８２２号公報
【０００４】
【発明が解決しようとする課題】
本発明は、マイナスイオン発生性能や使用性はもちろんのこと、インテリア性にも配慮した実用性の高いマイナスイオン発生装飾具を提供することを目的とする。
【０００５】
【課題を解決するための手段】
本発明のマイナスイオン発生装飾具は、上記課題を解決するために、つぎのような構成を採用する。
（１）  マイナスイオン発生材を収納し少なくとも側周面に開口部を有する容器と、この上部に布又はプラスチック製の造花を具備するマイナスイオン発生装飾具。
（２）マイナスイオン発生材が、トルマリン粉末、木炭、竹炭、レア・アース鉱石、及び玻璃長石から選ばれた１種又は２種である（１）に記載のマイナスイオン発生装飾具。
（３）容器内部の下方にファンを備え、その上方にマイナスイオン発生材を位置させるとともに容器の上面には開口部を設け、側周面の開口部からマイナスイオン発生材、上面開口部、更に造花の装着部を辿り造花の先端間隙部から気中に送風される空気流にのせて、マイナスイオンを放散せしめるようになした（１）又は（２）に記載のマイナスイオン発生装飾具。
（４）マイナスイオン発生材の表面積、もしくはマイナスイオン発生材が粉末の場合はこれを収納する保持体の片面の表面積が３０〜１５０ｃｍ２で、造花の見かけの体積が２００〜１５００ｃｍ３であり、かつファンを５００〜２０００ｒｐｍの速度で、しかも送風休止期間を送風期間よりも１０倍以上長く設定して間欠的に回転させるように構成した（１）ないし（３）のいずれかに記載のマイナスイオン発生装飾具。
（５）容器を包装体に収容した（１）ないし（４）のいずれかに記載のマイナスイオン発生装飾具。
（６）包装体が、籠、鉢又はラッピング用品である（５）に記載のマイナスイオン発生装飾具。
【０００６】
【発明の実施の形態】
本発明で用いるマイナスイオン発生材としては特に限定されないが、トルマリン粉末、木炭、竹炭、レア・アース鉱石、及び玻璃長石から選ばれた１種又は２種が代表的である。これらは通常、粉末状に製され適宜補助剤と添加混合した後通気性保持体に収納されて用いられるが、この場合、保持体の大きさは片面の表面積が３０〜１５０ｃｍ２程度のものが使いやすい。一方、木炭や竹炭などの場合、円筒状、長方体状固形物として容器に収納するようにしてもよい。
マイナスイオンの発生メカニズムについては必ずしも明確ではないが、例えばレア・アース鉱石含有セラミックスは、大気中の酸素、水分や二酸化炭素に作用してマイナス電荷をもった電子ｅ−を放出させ、この電子ｅ−が水分子、二酸化炭素などと反応してマイナスイオンを発生させると言われている。また、トリマリンの場合その静電圧、木炭や竹炭においてはその多孔質構造と強い還元作用が関与していると説明されている。
【０００７】
マイナスイオン発生材を収納する容器は、少なくとも側周面に開口部を有し、この上部に布又はプラスチック製の造花を具備する。容器の材質は特に限定されず、例えばプラスチック、陶器、ガラスなどをあげることができ、その容量としては１００ないし１０００ｍＬ程度のものが実用的である。
容器の構造は、使用目的、使用場所などを考慮しマイナスイオンの放散形態に応じて種々採用しうる。例えば、上面を概略遮蔽し、側周面の開口部をマイナスイオンの主たる流通路としてもよいが、ファンを備えない場合マイナスイオンの放散範囲は狭い。このため、容器内部の下方にファンを備え、その上方にマイナスイオン発生材を位置させるとともに容器の上面には開口部を設け、側周面の開口部から吸入される空気をマイナスイオン発生材、上面開口部、更に造花の装着部を辿り造花の先端間隙部から気中に送風するように設計するのが好ましい。かかる構成によれば、空気流にのせてマイナスイオンを放散できるうえ、ファンによる回転が空気の対流を引き起こし、マイナスイオン発生を促す外的要因ともなりうるのでより効率的である。
【０００８】
モーター駆動用電源としては、家庭用電源、乾電池又は充電式電池のいずれでもよく、ファンの回転速度は５００〜２０００ｒｐｍ程度が適当である。そして、送風休止期間を送風期間よりも１０倍以上長く設定して間欠的に作動させるようにすれば、電源が電池でも数ヶ月ないし６ヶ月間の長期間にわたり使用することが可能となる。
ファンの形状も特に限定されず、シロッコファン、ターボファン、軸流式ファンなどから適宜選定すればよい。
【０００９】
本発明のマイナスイオン発生装飾具は、上記マイナスイオン発生材収納容器の上部に布又はプラスチック製の造花を具備したことに特徴を有する。すなわち、好ましくは見かけの体積が２００〜１５００ｃｍ３で、花の種類や色合いが任意に選択された布又はプラスチック製の造花で容器を被うことによってインテリア性が付与され、更にはマイナスイオン放散量の調節にも役立つものである。
ここで、本発明における造花の見かけの体積は、以下の測定方法に従って得られる値を意味する。
（１）  まず、造花部分をプラスチック製の袋に入れる。
（２）上記袋を外部より軽く押さえて内部の空気を抜きながら、造花の外周に相当する部分を袋外部よりヒートシールして袋を密封する。
（３）次に、水のはった大きめの腰高シャーレに上記（２）で得られた造花入りの袋を沈め、その際の体積の増加分を「造花の見かけの体積」とする。
【００１０】
また、本発明のマイナスイオン発生装飾具は、容器を包装体、好ましくは籠、鉢又はラッピング用品に収容し、よりインテリア性を高めることもできる。
なお、これらの材質は、通気性に富み空気の流通を妨げない構造に形成されていることが必要である。
【００１１】
こうして得られた本発明のマイナスイオン発生装飾具は、マイナスイオンの放散性能や使用性はもちろんのこと、インテリア性にもすぐれ、マイナスイオンがもたらすリフレッシュ感だけでなく花の観賞も楽しめるものである。
マイナスイオンの放散形態としては下記の如く種々可能で、使用目的、使用場所などを考慮して適宜決定すればよい。
（Ａ）容器側周面の開口部をマイナスイオンの主たる流通路とし、ファンを設置しないマイナスイオン発生材静置型。この場合マイナスイオンの放散は狭い範囲に留まる。
（Ｂ）容器内部の下方に回転速度が５００〜２０００ｒｐｍ程度のファンを備え、その上方に位置させたマイナスイオン発生材を通って空気を造花先端間隙部から放散させるタイプで効率的。ただし、造花の見かけの体積が２００ｃｍ３未満の場合や、ファンの送風休止期間の設定が送風期間の１０倍に満たない場合、乾電池の寿命はもちろん、マイナスイオン発生材の有効持続期間も短くなる。
（Ｃ）上記（Ｂ）の改良型。造花の見かけの体積を２００〜１５００ｃｍ３とし、ファンの送風休止期間を送風期間よりも１０倍以上長く設定して間欠的に作動することによって、本発明のマイナスイオン発生装飾具を数ヶ月ないし６ヶ月間の長期間にわたり使用することが可能となる。
【００１２】
【実施例】
次に、具体的実施例に基づいて、本発明のマイナスイオン発生装飾具を更に詳細に説明する。
【００１３】
実施例１
図１は本発明のマイナスイオン発生装飾具の一例を示す。
直径１０ｃｍ、高さ８ｃｍで、側周面に開口部２を有する略円筒状のプラスチック製容器１の下方に、回転速度が１０００ｒｐｍで、送風休止期間が送風期間の２３倍であるシロッコファン３を設置した。トルマリン粉末（４）２０ｇを封入した外径約９ｃｍの円盤状通気性不織布を保持体５に取り付け、この保持体５を容器１の上方に装着した。容器１の上面には、中央が開口し周囲に造花支持部６を設けた円形状の蓋７をかぶせ、この上に見かけの体積が６００ｃｍ３でアジサイを彩ったプラスチック製の造花８を装着して本発明のマイナスイオン発生装飾具を得た。なお、９は合計３Ｖの乾電池、１０は電源スイッチである。
これをリビングルームのサイドボード上に置いて使用したところ、約５ケ月間にわたりマイナスイオンの放散が持続しリフレッシュ感を満喫できた。また、アジサイの花もインテリアにマッチしていた。
なお、マイナスイオン発生材として、レア・アース鉱石や玻璃長石を用いた場合も、同様に優れた効果が得られた。
【００１４】
実施例２
図２は本発明のマイナスイオン発生装飾具の他の例を示す。
一辺１２ｃｍ、高さ１０ｃｍで、側周面に開口部２を有する略立方体状の陶器製容器１に、直径約３ｃｍ、高さ約８ｃｍの略円柱状の備長炭（１１）３本を設置した。容器１の上面には、中央が一部開口し周囲に造花支持部６を設けた円形状の蓋７をかぶせ、この上に見かけの体積が８００ｃｍ３でラベンダーを彩ったプラスチック製の造花８を装着した。更に、上記容器１を、藤製の籠１２に収容して本発明のマイナスイオン発生装飾具を得た。
これを書斎机の上に置いて使用した。ラベンダーの花と放散されるマイナスイオンに癒されるとともに、消臭効果も期待できて有用であった。
【００１５】
【発明の効果】
本発明は、マイナスイオンの放散性能や使用性はもちろんのこと、インテリア性にもすぐれ、マイナスイオンがもたらすリフレッシュ感だけでなく花の観賞も楽しめるマイナスイオン発生装飾具を提供する。
【図面の簡単な説明】
【図１】本発明のマイナスイオン発生装飾具の一実施例の断面図を示す。
【図２】本発明のマイナスイオン発生装飾具の他の実施例の断面図を示す。
【符号の説明】
１．  容器
２．側周面開口部
３．シロッコファン
４．トルマリン粉末
５．保持体
６．造花支持部
７．蓋
８．プラスチック製の造花
９．乾電池
１０．電源スイッチ
１１．備長炭
１２．籠
【図１】
2004305566.tif 000003
【図２】
2004305566.tif 000004